(57)【要約】【課題】結婚式、葬儀、イベント等に使用される生花に代わって、又は生花と共植して使用可能な電飾造花、それに用いる電源供給装置、及び電飾造花と電源供給装置とからなる電飾造花用照明装置を提供する。【解決手段】花弁状に形成された複数の花弁の内部に設けられた発光ダイオードと、前記花弁及び発光ダイオードを支持するとともに、該発光ダイオードの電極にそれぞれ接続する第１のリード線と第２のリード線とを絶縁被覆する茎部と、前記茎部の中間に設けられ、下部にバネが設けられた導電プレートとを備え、前記第１のリード線は、前記茎部の端部から針状に突出し、前記第２のリード線は、前記導電プレートに接続していることを特徴とする。【選択図】図１
2011038226.tif 000002
【特許請求の範囲】
【請求項１】
花弁状に形成された複数の花弁の内部に設けられた発光ダイオードと、
前記花弁及び発光ダイオードを支持するとともに、該発光ダイオードの電極にそれぞれ接続する第１のリード線と第２のリード線とを絶縁被覆する茎部と、
前記茎部の中間に設けられ、下部にバネが設けられた導電プレートとを備え、前記第１のリード線は、前記茎部の端部から針状に突出し、前記第２のリード線は、前記導電プレートに接続していることを特徴とする電飾造花。
【請求項２】
前記下部に設けられたバネが、前記茎部を挟むように複数設けられていることを特徴とする請求項１に記載の電飾造花。
【請求項３】
前記バネが円錐コイルバネであることを特徴とする請求項１又は２に記載の電飾造花。
【請求項４】
請求項１から３のいずれかに記載の電飾造花に電源を供給する電飾造花用電源供給装置であって、シート状の導電層上に設けられ、前記第１のリード線の針状端部を巻線間に挟み込むコイル状及び／又は綿状の第１の電極と、柔軟性を有する絶縁体を介して、前記第１の電極と対向するように配置された薄膜又は複数の穴のあいた薄板の第２の電極とを備えたことを特徴とする電飾造花用電源供給装置。
【請求項５】
前記絶縁体で内部が充填され、底部には前記第１の電極を備え、上部には前記第２の電極を備えたプランター型の電源供給装置であることを特徴とする請求項４に記載の電飾造花用電源供給装置。
【請求項６】
花弁状に形成された複数の花弁の内部に設けられた発光ダイオードと、
前記花弁及び発光ダイオードを支持するとともに、該発光ダイオードの電極にそれぞれ接続する第１のリード線と第２のリード線とを絶縁被覆する茎部と、
前記茎部の端部から針状に突出する第３のリード線と第４のリード線と、
前記茎部から突出し、前記第３のリード線と前記第４のリード線とを絶縁離隔する絶縁体と、
前記第１のリード線、前記第２のリード線、前記第３のリード線、及び前記第４のリード線を収容し、前記第３のリード線と前記第４のリード線とが導通した際に、前記発光ダイオードを点灯させる電池内蔵の点灯制御回路とを備えたことを特徴とする電飾造花。
【請求項７】
請求項１から３のいずれかに記載の電飾造花と、
請求項４又は５に記載の電飾造花用電源供給装置と
を備えたことを特徴とする電飾造花用照明装置。
【発明の詳細な説明】
【技術分野】
【０００１】
本発明は、ＬＥＤ（Light Emitting Diode／発光ダイオード）等の電気照明を利用した電飾造花に関し、一般消費者向け、結婚式、葬儀、イベント等の際に用いられる生花に代えて、又は生花と共用して使用可能な、装飾効果を備えた電飾造花、電飾造花用電源供給装置、及び電飾造花用照明装置に関する。
【背景技術】
【０００２】
結婚式、葬儀、あるいは新規店舗の開店などのイベントには、様々な種類の生花が大量に使用される。白色や紫色を基調とした生花は、神聖で荘厳な雰囲気を醸し出す。また新鮮であざやかな生花は、希望に満ちた明るい雰囲気を醸し出す。式辞における花の果たす役割は非常に大きいが、生花によりその場の雰囲気を醸し出すには、大量の色とりどりの花を使用する必要がある。一方において、それに要する費用は少なくなく、また、生花は傷みやすく、傷んだ後は廃棄するしかない。
【０００３】
このため、大量の花を使用せずとも華やかな装飾効果を発揮することができるものとして、電飾造花の技術が開示されている。例えば、下記特許文献１には、弔事用電飾造花の考案が開示されている。特許文献１の電飾造花は、花弁状に形成された複数の花弁部と、花芯部に雌しべを模して配設される発光部と、発光部に電力を供給するための電源を内蔵する電源ユニットとを備え、花弁部は、発光部を覆い隠すように形成され、発光部は、時間の経過とともにその発光色を変化させるＬＥＤからなるものである。特許文献１によれば、造花の美観を損ねることなく、十分な装飾効果を得ることができる電飾造花を得ることができるとされている。
【０００４】
しかし、特許文献１に記載の造花は茎部を有さない花弁のみからなる電飾造花である。そのため、例えば、葬儀の参列者が、祭壇に設けられたプランターに手に持った造花を活け、その行為により造花が点灯し、故人に対する哀悼の意が演出されるような、これら供花から点灯までの一連の行為を通して、神聖で荘厳な雰囲気を醸し出すといった演出を行うことはできない。また、特許文献１に記載の造花は、電飾造花の内部に電源を内蔵しているため、葬儀参列者に電飾花を配ることができないという問題がある。
【０００５】
一方、ＬＥＤを特殊なボードに刺すことにより、多数のＬＥＤを発光させる技術が下記特許文献２に開示されている。特許文献２の開示する技術は、必ずしも電飾造花に限定されるものではないが、かかる技術を造花として用いることで電飾造花となる。特許文献２においては、一対のリードを有する複数の発光ダイオードを電源供給シートに刺すことにより、発光ダイオードを点灯させる技術が開示されている。電源供給シートは、可撓性絶縁層と、この可撓性絶縁層の一方の面に積層している第１導電層と、他方の面に積層している第２導電層とを備えており、発光ダイオードの第１リードは、電源供給シートに開口した挿通部を通過して、第１平行接触部を第１導電層に面接触させている。発光ダイオードの第２リードは、電源供給シートに開口した挿通部を通過して、第２平行接触部を第２導電層に面接触させている。このような構造により、第１リードを第１導電層に、第２リードを第２導電層に電気接続させ、発光ダイオードが発光する。
【０００６】
しかし、特許文献２に記載の技術は、絶縁層を挟んでその両側に第１の導電層と第２の導電層からなる電源供給シートを設け、それぞれにＬＥＤの正負の電極を刺すことで導通させ、発光ダイオードを発光させるというものである。このため、電源供給シートの構成が複雑であり、また導電層は導電性を有しかつ弾性が必要となる。さらに、かかる電源供給シートを、例えば、葬儀の祭壇に設けたプランターに設置した場合、多数のＬＥＤが繰り返し刺されることにより、部分的に穴が大きくなるところが生じ、電源供給シートが傷んでくる。しかし、特許文献２に記載の電源供給シートでは、その交換は容易でなく、かつコスト高になるという問題がある。
【先行技術文献】
【特許文献】
【０００７】
【特許文献１】実用新案登録第３１２３８４１号公報
【特許文献２】特開２００６−２１０３３６号公報
【発明の概要】
【発明が解決しようとする課題】
【０００８】
そこで、本発明は、かかる従来技術の問題点に鑑みなされたもので、一般家庭、結婚式、葬儀、あるいは店舗等が新規開店する際のイベント等において、大量の生花と照明用の電力を使用することなく、より良い雰囲気を醸し出す、電飾造花、それに用いる電源供給装置を兼ねたプランター、及び電飾造花と電源供給装置とからなる電飾造花用照明装置を提供することにある。
【課題を解決するための手段】
【０００９】
請求項１に記載の発明は、電飾造花であって、花弁状に形成された複数の花弁の内部に設けられた発光ダイオードと、前記花弁及び発光ダイオードを支持するとともに、該発光ダイオードの電極にそれぞれ接続する第１のリード線と第２のリード線とを絶縁被覆する茎部と、前記茎部の中間に設けられ、下部にバネが設けられた導電プレートとを備え、前記第１のリード線は、前記茎部の端部から針状に突出し、前記第２のリード線は、前記導電プレートに接続していることを特徴とする。
【００１０】
請求項２に記載の発明は、請求項１に記載の電飾造花であって、前記下部に設けられたバネが、前記茎部を挟むように複数設けられていることを特徴とする。
【００１１】
請求項３に記載の発明は、請求項１又は２に記載の電飾造花であって、前記バネが円錐コイルバネであることを特徴とする。
【００１２】
請求項４に記載の発明は、請求項１から３のいずれかに記載の電飾造花に電源を供給する電飾造花用電源供給装置であって、シート状の導電層上に設けられ、前記第１のリード線の針状端部を巻線間に挟み込むコイル状及び／又は綿状の第１の電極と、柔軟性を有する絶縁体を介して、前記第１の電極と対向するように配置された薄膜又は複数の穴のあいた薄板の第２の電極とを備えたことを特徴とする。
【００１３】
薄膜としては、例えば、アルミ箔が好適である。薄板の場合は、導電体であればどのようなものであっても良いが、薄板に穴を空けておくことで、その穴を通して電飾造花を刺すことができる。
【００１４】
請求項５に記載の発明は、請求項４に記載の電飾造花用電源供給装置であって、前記絶縁体で内部が充填され、底部には前記第１の電極を備え、上部には前記第２の電極を備えたプランター型の電源供給装置であることを特徴とする。
【００１５】
請求項６に記載の発明は、電飾造花であって、花弁状に形成された複数の花弁の内部に設けられた発光ダイオードと、前記花弁及び発光ダイオードを支持するとともに、該発光ダイオードの電極にそれぞれ接続する第１のリード線と第２のリード線とを絶縁被覆する茎部と、前記茎部の端部から針状に突出する前記第３のリード線と第４のリード線と、前記茎部から突出し、前記第３のリード線と前記第４のリード線とを絶縁離隔する絶縁体と、前記第１のリード線、前記第２のリード線、前記第３のリード線、及び前記第４のリード線とを収容し、前記第３のリード線と前記第４のリード線とが導通した際に、前記発光ダイオードを点灯させる電池内蔵の点灯制御回路とを備えたことを特徴とする。
【００１６】
請求項７に記載の発明は、電飾造花用照明装置であって、請求項１から３のいずれかに記載の電飾造花と、請求項４又は５に記載の電飾造花用電源供給装置とを備えたことを特徴とする。
【発明の効果】
【００１７】
本発明によれば、一般家庭、結婚式、葬儀、あるいは開店などのイベントの際に使用される生花に代えて、又は生花と共植で、関係者がプランターの自由な位置にそれぞれ刺すだけで点灯する電飾造花を提供することができる。また、かかる電飾造花に用いられる電源供給装置として、使い捨て可能な安価なものを提供できる。
【図面の簡単な説明】
【００１８】
【図１】本発明の一実施形態である電飾造花の一実施例の構造を示した図
【図２】図１に示す電飾造花の他の実施例である電飾造花の構造を示した図
【図３】本発明の他の実施例である電飾造花の構造を示した図
【図４】図１に示す電飾造花を電源供給装置を兼ねたプランターに活けた際の断面を示した図
【図５】プランターに図３に示す電飾造花を活けたときの断面を示した図
【図６】葬儀用の祭壇に複数のプランターを設置したときの電源供給回路の一例を示した図
【図７】葬儀用の祭壇に複数のプランターを設置したときの様子を示した図
【図８】プランターに接続するＡＣ電源供給回路例を示した図
【図９】点灯制御回路を示した図
【発明を実施するための形態】
【００１９】
本発明の一実施形態について、図面を参照しながら詳細に説明するが、本発明はこれに限定されるものではない。図１は、本発明の一実施形態である電飾造花１０の一実施例である電飾造花１０−１の構造図を示したものである。電飾造花１０−１は、花びら１１８とその内部に収納されているＬＥＤ１１１、花びら１１８等を支える絶縁体の茎１１３、ＬＥＤ１１１の第１のリード線１１４、第２のリード線１１５、そして、第２のリード線１１５との電極接点を構成するプレート１１６及び電極バネ１１７から構成されている。なお、プレート１１６及び電極バネ１１７を総称して導電プレートと称する。ここで、電極バネ１１７が円錐コイルバネであることは好適である。これにより胴曲がりを少なくすることができ、また密着高さを低くすることができるためである。
【００２０】
図１（ａ）に示すように、花びら１１８内に内包されているＬＥＤ１１１の一方の電極は、点灯制御回路１１２−１を介して、第１のリード線１１４として茎１１３の端部から外部に針状に突出している。また、ＬＥＤ１１１の他方の電極は、点灯制御回路１１２−１を介し、第２のリード線１１５として、茎１１３の中間に設けられたプレート１１６付近で茎１１３からプレート１１６を介して電極バネ１１７に接続している。
【００２１】
図１（ｂ）は、図１（ａ）に示す電飾造花の等価回路図である。第１のリード線１１４は、例えば、電源供給装置の正極に接続し、第２のリード線１１５は負極に接続する。点灯制御回路１１２−１を介して、第１のリード線１１４、第２のリード線１１５に通電されると、ＬＥＤ１１１に電流が流れ発光する。この実施例においては、点灯制御回路１１２−１は、例えば抵抗等で構成すればよく、電源を内蔵する必要はない。なお、電飾造花１０−１の電源供給装置については後述する。
【００２２】
図２は、電飾造花１０の他の実施例である電飾造花１０−２の構造を示した図である。図１に示す電飾造花１０−１との違いは、第２のリード線１１５の電極接点を構成する電極バネ１１７を２つのバネ（１１７−１、１１７−２）により構成している点である。このように電極接点を２つのバネで構成することにより、より確実に第２のリード線１１５を電源供給装置の電極に接続することができるためである。電極バネ１１７−１と１１７−２とは、例えば、その上部において導電線により接続しておくことにより導通を確保しておくことが好ましい。
【００２３】
図３は、本発明の他の実施例である電飾造花１０−３の構造を示した図である。図１、図２に示す電飾造花１０との違いの一つは、第３のリード線１２４、第４のリード１２５がともに、茎１１３の端部から絶縁体１３０を介して出ているところである。第３のリード線１２４、第４のリード線１２５はともに、絶縁体１３０よりも短く、茎１１３から出ている。これにより両リード線の短絡を防止することができる。
【００２４】
また、図１、図２に示す電飾造花１０とのもう一つの違いは、点灯制御回路１１２−２が、図３（ｂ）に示すように、内部にバッテリー１１２０を備えているところである。点灯制御回路１１２−２が電池を内蔵することにより、第３のリード線１２４と第４のリード線１２５とが導通し、制御回路１１２１を構成するトランジスタがオンとなり、その結果、ＬＥＤ１１１が点灯する。このような点灯制御回路とすることにより、電飾造花と生花を共植するための鉢（プランター）の構造が極めて簡単になる。その詳細については後述する。
【００２５】
図４は、図１に示す電飾造花１０−１を電源供給装置を兼ねたプランター１４０−１に活けた際の断面を示した図である。プランター１４０−１は、電飾造花１０−１を活けることができる柔軟性のある絶縁材料であるプランター充填材１１９−１で内部を充填しておくことが好ましい。
【００２６】
図４に示すように、この実施例においては、プランター１４０−１の底部にアルミ箔１２０を敷き詰めてある。その上に配置したコイル状の導電材料を第１のプランター電極１２１としている。また、プランター充填材１１９−１の上部にアルミ板又はアルミ箔を敷き詰めて、第２のプランター電極１２２としている。なお、第１のプランター電極と第２のプランター電極とは、外部電源１５０と接続している。アルミ箔の場合は、電飾造花をそのまま突き刺すことができるが、アルミ板の場合は、あらかじめ穴をあけておき、そこに電飾造花を刺すようにする。
【００２７】
図４に示すプランター１４０−１に電飾造花１０―１を活けると、第１のリード線１１４は、プランター１４０−１の底部に設けられたコイル状の第１のプランター電極１２１と接触し、コイルの巻線の隙間に第１のリード線１１４が入る。この第１のリード線１１４は、第１のプランター電極１２１及びプランター充填材１１９−１により挟持される。
【００２８】
第２のリード線１１５が接続する電極バネ１１７は、第２のプランター電極１２２に押しつけられるように接する。その結果、電飾造花１０−１の第２のリード線１１５と、第２のプランター電極１２２とが確実に導通することになる。
【００２９】
電飾造花１０−１には、押しつけられた電極バネ１１７により、上方向の弾性力が作用する。しかし、電飾造花１０−１の第１のリード線１１４は、上述したように、第１のプランター電極１２１の隙間に入っているため、そこで挟持されている。また、プランター充填材１１９−１により、茎１１３は摩擦力により保持される。その結果、プランター１４０−１に電飾造花１０−１を活けると、第１のリード線１１４と第１のプランター電極１２１、第２のリード線１１５と第２のプランター電極１２２とが確実に接触し、かつ、電飾造花１０−１は活けられた状態を維持し、ＬＥＤ１１１に電気が流れ点灯することになる。
【００３０】
図５は、プランター１４０−２に図３に示す電飾造花１０−３を活けたときの断面を示した図である。プランター１４０−２の内部は吸水性のプランター充填材１１９−２で充填されている。図５に示すプランター１４０−２と図４に示すプランター１４０−１との違いは、プランター１４０−１は、第１のプランター電極１２１、アルミ箔１２０、及び第２のプランター電極１２２を備えるが、プランター１４０−２にはそれらが不要であること、及びプランター１４０−２の内部が吸水性のプランター充填材１１９−２で充填されていることである。
【００３１】
電飾造花１０−３をプランター１４０−２に活けると、電飾造花１０−３の第１のリード線１１４と、第２のリード線１１５とは、プランター１４０−２の内部に充填されている吸水性のプランター充填材１１９−２により導通状態となる。また、生花と共植の場合も導通状態となり得る。
【００３２】
上述の通り、図３に示す電飾造花１０−３の制御回路１１２−２は、図３（ｂ）に示すように内部にバッテリー１１２０を備えている。そのため、図５に示すプランター１４０−２内で第３のリード線１２４と第４の１２５とが導通し、ＬＥＤ１１１に電流が流れ点灯する。
【００３３】
図６は、葬儀用の祭壇に複数のプランターを設置する際の電源供給回路の一例を示した図である。交流電源（１００Ｖ）のコンセントにＡＣアダプタを接続し、図４に示すプランター１４０−１をＡＣアダプタ毎に設置する。これにより、必要な数のプランターを葬儀用の祭壇に自由に設置することができる。図７は、葬儀用の祭壇に複数のプランター１４０−１を設置したときの様子を示した図である。
【００３４】
図８は、プランター１４０−１に接続するＡＣ電源供給回路の実施例を示した図である。ＡＣ電源供給回路の基本回路は、図８（ａ）に示す回路である。交流電源（１００Ｖ）にＡＣアダプタを接続し、ＡＣアダプタの電極をプランター１４０−１の電極に接続するものである。
【００３５】
図８（ｂ）に示すＡＣ電源供給回路には、ＡＣアダプタとプランター１４０−１との間に充放電型電池を備えた充電回路２１０が挿入されている。このＡＣ電源供給回路では、充電回路２１０からＡＣアダプタを切り離しても、充電回路２１０によりプランター１４０−１に電力が供給される。
【００３６】
図８（ｃ）に示すＡＣ電源供給回路は、図８（ｂ）に示すＡＣ電源供給回路に、ＬＥＤ点灯を周辺照度が暗くなった時に行う自動点灯制御回路を付加した回路である。充電回路２１０とＡ−Ａ、Ｂ−Ｂ、又はＡ−Ａ’、Ｂ−Ｂ’の２接点で接続できるように構成されている。充電回路２１０と照度感知型点灯制御回路２２０とがＡ−Ａ、Ｂ−Ｂで接続すると、ＬＥＤを常時点灯状態とする回路となる。一方、充電回路２１０と照度感知型点灯制御回路２２０とがＡ−Ａ’、Ｂ−Ｂ’で接続すると、内部の可変抵抗を調整することにより、周辺照度の変化を感知し、任意の暗さの時にＬＥＤが点灯する回路となる。
【００３７】
図８（ｄ）は、パソコンのＵＳＢ回路からプランター１４０−１に電源を供給する場合の回路である。ノートパソコンのＵＳＢを使えば、ＡＣ電源がなくても電飾造花を点灯させることができる。図８（ｅ）は、電源の供給に電池を使用した場合の回路である。
【００３８】
図９は、点灯制御回路１１２−３の回路図である。これは、生花共植時に使用し、生花共植の認識はプランターの水分検知で行われ、かつ周辺照度が低下した時に自動点灯することにより、よりその場に合った雰囲気を醸し出すことができる。
【符号の説明】
【００３９】
１０      電飾造花
１１１    ＬＥＤ
１１２    点灯制御回路
１１３    絶縁体の茎
１１４    第１のリード線
１１５    第２のリード線
１１６    プレート
１１７    電極バネ
１１８    花びら
１１９    プランター充填材
１２０    アルミ箔／アルミ板
１２１    第１のプランター電極
１２２    第２のプランター電極
１２４    第３のリード線
１２５    第４のリード線
１４０    プランター
１５０    外部電源
２１０    充放電型電池を備えた充電回路
２２０    照度感知型点灯制御回路
【図１】
2011038226.tif 000003
【図２】
2011038226.tif 000004
【図３】
2011038226.tif 000005
【図４】
2011038226.tif 000006
【図５】
2011038226.tif 000007
【図６】
2011038226.tif 000008
【図７】
2011038226.tif 000009
【図８】
2011038226.tif 000010
【図９】
2011038226.tif 000011